(57)【特許請求の範囲】
【請求項１】
一方の枠体には相対する係合片部を挿入溝を挟んで突設した連結部を形成し、
この一方の枠体に連結される他方の枠体の端部に突設した連結具は、相対して平行状に配設され基端部を移動可能に軸支するとともに先端部に前記一方の枠体の連結部の挿入溝から相対する係合片部に係合する係合突部をそれぞれ形成した一対の連結片と、この一対の連結片の間に設けられ前記連結部の相対する係合片部に係合させる際に一対の連結片の係合突部を互いに近接方向に移動可能に支持し、かつ、前記連結部の相対する係合片部に一対の連結片の係合突部を係合した際に一対の連結片の係合突部を互いに離間した係合状態に保持するカム機構とを具備した
ことを特徴とする枠体連結装置。
【請求項２】
カム機構は、一方の連結片に進退可能に設けられ他方の連結片側に位置してカムを形成した一方のカム体と、他方の連結片に回動自在に設けられ前記一方の連結片側に位置して前記一方のカム体のカムに係合するカムを形成しかつ回動により進退する他方のカム体と、この他方のカム体に突設され前記他方の連結片を支持する支持突部及びこの他方のカム体を回動操作する操作部と、を具備した
ことを特徴とする請求項１記載の枠体連結装置。
【請求項３】
一方のカム体は、一方の連結片に突設されたカム支軸に軸方向にのみ進退可能に軸着され、このカム支軸に設けたスプリングにて他方のカム体に向かって常時附勢され、他方のカム体を回動操作する操作部は、他方の枠体の端部に回動自在に突設されている
ことを特徴とする請求項２記載の枠体連結装置。
【発明の詳細な説明】
【０００１】
【発明の属する技術分野】
本発明は枠体連結装置に係り、たとえば、台所等に設置する家具本体を構成する縦枠体と横枠体等の複数の枠体の相互を連結して組立てるものに関する。
【０００２】
【従来の技術】
従来、この種の家具本体は金属製の前後左右の縦枠体及びこの前後左右の各縦枠体の上下部に複数の金属製の横枠体を順次連結して構成されているが、これらの縦枠体と横枠体との連結は、通常は枠体相互の連結部を溶接により連結したり、他の連結金具を用いて連結したり、さらには、複数の連結ピンにより連結する手段が採られている。
【０００３】
【発明が解決しようとする課題】
前記従来の枠体相互の連結手段では、溶接の場合には相互の枠体を簡単に連結することができず、連結金具を用いる場合には相互の枠体に連結金具を連結する連結部を成型加工する必要があり、複数の連結ピンの場合には相互の枠体に複数の連結ピンを挿通する複数の挿通孔を穿設加工する必要があり、したがって、従来の枠体相互の連結手段では、複数の枠体の相互を簡単に連結することができず、一方の枠体に他方の枠体を仮り止めして枠体の連結位置を調節することができず、これらの枠体を連結して家具本体を組立てる際には多くの手数を要する、という問題がある。
【０００４】
本発明は、このような点に鑑みてなされたもので、一方の枠体に他方の枠体をワンタッチで簡単に連結することができ、一方の枠体に他方の枠体を連結するための連結部を成型加工する必要がなく、一方の枠体に他方の枠体を仮り止めして枠体の連結位置を簡単に調節設定することができ、これらの枠体を連結して家具本体を簡単に組立てることができ、したがって、全体的に作業性にすぐれた枠体連結装置を提供することを目的とするものである。
【０００５】
【課題を解決するための手段】
請求項１記載の枠体連結装置は、一方の枠体には相対する係合片部を挿入溝を挟んで突設した連結部を形成し、この一方の枠体に連結される他方の枠体の端部に突設した連結具は、相対して平行状に配設され基端部を移動可能に軸支するとともに先端部に前記一方の枠体の連結部の挿入溝から相対する係合片部に係合する係合突部をそれぞれ形成した一対の連結片と、この一対の連結片の間に設けられ前記連結部の相対する係合片部に係合させる際に一対の連結片の係合突部を互いに近接方向に移動可能に支持し、かつ、前記連結部の相対する係合片部に一対の連結片の係合突部を係合した際に一対の連結片の係合突部を互いに離間した係合状態に保持するカム機構とを具備したものである。
【０００６】
そして、カム機構を操作すると、このカム機構にて連結具の一対の連結片の係合突部が互いに近接方向に移動可能に支持された状態となり、この他方の枠体にて連結具の一対の連結片の係合突部を一方の枠体の挿入溝に挿入すると、この一対の連結片の係合突部が挿入溝にて互いに近接方向に移動されるとともに、この挿入溝を通過することにより相対する係合片部の内側面に係合される。また、カム機構を操作すると、このカム機構にて一対の連結片の係合突部が互いに離間して相対する係合片部に係合した状態に保持される。
【０００７】
請求項２記載の枠体連結装置は、請求項１記載の枠体連結装置において、カム機構は、一方の連結片に進退可能に設けられ他方の連結片側に位置してカムを形成した一方のカム体と、他方の連結片に回動自在に設けられ前記一方の連結片側に位置して前記一方のカム体のカムに係合するカムを形成しかつ回動により進退する他方のカム体と、この他方のカム体に突設され前記他方の連結片を支持する支持突部及びこの他方のカム体を回動操作する操作部と、を具備したものである。
【０００８】
そして、操作部を回動操作すると、この操作部を有する他方のカム体が回動されるとともに、この他方のカム体のカム及びこのカムが係合した一方のカム体のカムにて他方のカム体が進退され、この他方のカム体の支持突部にて他方の連結片が進退動される。
【０００９】
請求項３記載の枠体連結装置は、請求項２記載の枠体連結装置において、一方のカム体は、一方の連結片に突設されたカム支軸に軸方向にのみ進退可能に軸着され、このカム支軸に設けたスプリングにて他方のカム体に向かって常時附勢され、他方のカム体を回動操作する操作部は、他方の枠体の端部に回動自在に突設されているものである。
【００１０】
そして、他方の枠体の端部に連結具を取付ける際には、操作部を押動すると他方のカム体にて一方のカム体がスプリングに抗してカム支軸に沿って一方の連結片に向かって移動され、この操作部の押動面が他方の連結片と略同一面の状態に押動された状態で、この連結具を他方の枠体の端部内に嵌合することにより、このカム機構のスプリングにて一方のカム体を介して他方のカム体が押動され、この他方のカム体の操作部が他方の枠体の端部に突設される。
【００１１】
【発明の実施の形態】
以下、本発明の実施の一形態を添付図面を参照して説明する。
【００１２】
１は枠体連結装置で、この枠体連結装置１は、上下方向の一方の枠体２と、この一方の枠体２に連結する左右方向の他方の枠体３と、この他方の枠体３の両端部に嵌着して突設されこの他方の枠体３を前記一方の枠体２に連結する連結具４とを具備して構成されている。
【００１３】
前記一方の枠体２は、型材５にて断面略矩形状で略角柱状に形成され、その一側部には上下方向の第１の連結部６が形成され、この第１の連結部６に隣接した他側部には上下方向の第２の連結部７が形成されている。前記第１の連結部６及び第２の連結部７は、上下方向の外面を開口した収容凹部８をそれぞれ有し、この収容凹部８の外面部に相対する係合片部９を挿入溝１０を挟んで突設して形成され、すなわち、両収容凹部８の外面部に相対して上下方向の係合片部９がそれぞれ突設され、この相対する係合片部９の内端部間に挿入溝１０がそれぞれ形成されている。
【００１４】
また、前記他方の枠体３は、型材１１にて断面矩形状の中空部１２を有して角柱状に形成され、その両端部の近傍の一側部には前記中空部１２に連通する円形の案内孔１３がそれぞれ形成されている。そして、前記他方の枠体３の中空部１３の両端部には前記連結具４を嵌合して突設するようになっている。
【００１５】
つぎに、前記連結具４は、相対して平行状に配設された左右方向の一対の連結片１４，１５を有し、その一方の連結片１４の基端部には上方に向かって案内片１６が垂直状に一体に突設され、この案内片１６の前後方向の両端部には取付片１７がそれぞれ相対して一体に突設され、この両端部の取付片１７には上下方向の案内孔１８がそれぞれ形成されている。
【００１６】
また、前記一方の連結片１４の先端部には上方に向かって折り曲げた折曲片部１９を介して前記挿入溝１０に挿入する挿入片部２０が突出され、この挿入片部２０にはこの挿入片部２０の挿入方向に直交する方向に前記挿入溝１０の一方側の係合片部９に係合する係合突部２１が下方に向かって一体に突設され、この係合突部２１と前記折曲片部１９との間には前記挿入溝１０の一方側の係合片部９の縁部に当接する当接部２１ａ  が形成されている。
【００１７】
また、前記他方の連結片１５の基端部にはこの連結片１５の幅方向の両端部に前記一方の連結片１４の両端部の取付片１７に対向する取付片２２がそれぞれ下方に向かって一体に突設され、この両端部の取付片２２には前記両端部の取付片１７の案内孔１８内に移動自在に挿通した支軸２３がそれぞれ一体に突出されている。
【００１８】
さらに、前記他方の連結片１５の先端部には下方に向かって折り曲げた折曲片部２４を介して前記挿入溝１０に挿入する挿入片部２５が突出され、この挿入片部２５にはこの挿入片部２５の挿入方向に直交する方向に前記挿入溝１０の他方側の係合片部９に係合する係合突部２６が上方に向かって一体に突設され、この係合突部２６と前記折曲片部２４との間には前記挿入溝１０の他方側の係合片部９の縁部に当接する当接部２６ａ  が形成されている。また、前記他方の連結片１５の略中心部には円形の案内孔２７が貫通して形成されている。
【００１９】
つぎに、前記一対の連結片１４，１５の間には前記基端部の支軸２３を中心としてこの一対の連結片１４，１５の挿入片部２０，２５を近接方向及び離間方向に向かって開閉するカム機構２８が設けられている。このカム機構２８は、前記一方の連結片１４に突設されたカム支軸２９と、このカム支軸２９に軸方向にのみ進退自在に設けられた一方のカム体３０と、この一方のカム体３０に係合され前記他方の連結片１５に回動自在に設けられた他方のカム体３１と、前記一方のカム体３０を前記他方のカム体３１に向かって附勢するコイルスプリング３２と、前記他方のカム体３１の回動を案内する環状の案内体３３とを備えて構成されている。
【００２０】
前記カム支軸２９は、断面四角形状に形成された角柱状部３４及びこの角柱状部３４の突出端部にこの角柱状部３４より大径に形成された円形大径部３５を有して形成されている。そして、前記角柱状部３４の基端部が前記一方の連結片１４に形成された取付孔３６内に嵌着固定されている。
【００２１】
また、前記一方のカム体３０は、略円柱状に形成され、その中心部に前記カム支軸２９の角柱状部３４に軸方向にのみ進退自在に嵌合した嵌合孔３７を有し、その基端部には前記一方の連結片１４側に位置して前記嵌合孔３７より拡開した前記コイルスプリング３２を収容する収容凹部３８が形成されている。また、前記一方のカム体３０の先端部には前記他方の連結片１５側に位置してカム３９が形成されている。
【００２２】
前記一方のカム体３０のカム３９は、前記嵌合孔３７を挟んだ両側部には係合凹部４０がそれぞれ形成され、この両側部の係合凹部４０の間に位置して前記嵌合孔３７を挟んだ両側部には係合凸部４１がそれぞれ形成されている。また、前記両側部の係合凹部４０の一側部には前記両側部の係合凸部４１の一端部に係合面４１ａ  を介して連続する傾斜案内面４２がそれぞれ形成されている。さらに、前記両側部の係合凹部４０の他側部には前記両側部の係合凸部４１の他端部に連続する垂直状部４３がそれぞれ形成されている。
【００２３】
つぎに、前記他方のカム体３１は、略円柱状に形成され、その基端部には前記他方の連結片１５に形成された案内孔４４から外方に向かって回動自在に突出された操作突部４５を有し、この操作突部４５の突出端部には外面を開放した多角形状の操作部４６が形成されている。また、前記操作突部４５の途中両側部には前記他方の連結片１５を支持する支持突部４７がそれぞれ互いに反対方向に向かって一体に突出され、この両側部の支持突部４７の他方の連結片１５を支持する支持部が弧状支持面４８に形成されている。
【００２４】
また、前記他方のカム体３１の先端部には前記一方の連結片１４側に位置してカム４９が形成されている。前記他方のカム体３１のカム４９は、その両側部には前記一方のカム３９の両側部の係合凹部４０に係合する係合凸部５０がそれぞれ形成され、この両側部の係合凸部５０の間に位置して両側部には係合面５１ａ  を介して前記一方のカム３９の両側部の係合凸部４１に係合する係合凹部５１がそれぞれ形成されている。
【００２５】
また、前記両側部の係合凸部５０の一側部には前記一方のカム３９の両側部の係合凹部４０の傾斜案内面４２に係合する傾斜案内面５２がそれぞれ形成され、前記両側部の係合凸部５０の他側部には前記一方のカム３９の両側部の係合凹部４０の垂直状部４３に当接する垂直状部５３がそれぞれ形成されている。そして、前記一方のカム体３０のカム３９に対して前記他方のカム体３１のカム４９は一方側から他方側に向かってのみ反転回動されるようになっている。
【００２６】
そして、前記一方のカム３９の両側部の係合凹部４０に前記他方のカム４９の両側部の係合凸部５０が係合し、かつ、一方のカム３９の両側部の係合凸部４１に他方のカム４９の両側部の係合凹部５１が係合した際には、前記両側部の支持突部４７が前記他方の連結片１５の幅方向に位置して他方の連結片１５を支持し、一対の連結片１４，１５の先端部の係合突部２１が近接方向に移動可能になっている。また、一方のカム３９の両側部の係合凹部４０から外れた他方のカム４９の両側部の係合凸部５０が一方のカム３９の係合面４１ａ  に係合した際には、前記両側部の支持突部４７が前記他方の連結片１５の長さ方向に位置して他方の連結片１５を支持し、一対の連結片１４，１５の先端部の係合突部２１の間を開いて離間した状態に保持されるようになっている。
【００２７】
つぎに、前記カム支軸２９の角柱状部３４に嵌合した前記一方のカム体３０の収容凹部３８内には前記カム支軸２９の周囲に配設した前記コイルスプリング３２が収容されている。そして、前記コイルスプリング３２にて前記一方のカム体３０が常時前記他方のカム体３１に向かって附勢され、この一方のカム体３０のカム３９が他方のカム体３１のカム４９に噛合され、この他方のカム体３１の両側部の支持突部４７の弧状支持面４８にて前記他方の連結片１５が支持され、この他方のカム体３１の操作突部４５が他方の連結片１５の案内孔４４から外方に向かって回動自在に突出されている。
【００２８】
つぎに、前記実施の形態の作用を説明する。
【００２９】
上下方向の一方の枠体２に左右方向の他方の枠体３を連結する場合には、まず、連結具４の他方のカム体３１の操作突部４５を回動操作して、この他方のカム体３１の両側部の支持突部４７を他方の連結片１５の幅方向に配置するとともに、この他方のカム体３１のカム４９が一方のカム体３０のカム３９に噛合状態に係合される。
【００３０】
また、連結具４の他方のカム体３１の操作突部４５を一方のカム体３０に向かって押動すると、この他方のカム体３１にて一方のカム体３０がコイルスプリング３２に抗してカム支軸２９の角柱状部３４に沿って一方の連結片１４側に後退される。
【００３１】
また、他方のカム体３１の操作突部４５を他方の連結片１５の案内孔４４に沿って後退させた状態で、この連結具４を基端部側から他方の枠体３の中空部１２の一端部内にそれぞれ押し込むと、この連結具４の他方のカム体３１の操作突部４５が他方の枠体３の内壁部にて支持されながら中空部１２内に押し込まれる。
【００３２】
そして、この他方のカム体３１の操作突部４５が他方の枠体３の案内孔１３の位置まで押し込まれると、コイルスプリング３２の復元力により一方のカム体３０を介して他方のカム体３１が押し戻され、この他方のカム体３１の操作突部４５が他方の連結片１５の案内孔４４に沿って突出され、この操作突部４５が他方の枠体３の一端部の案内孔１３内に嵌合され、この操作突部４５にて他方の枠体３の中空部１２の一端部内に嵌合した連結具４が保持されるとともに、この他方の枠体３の一端部から連結具４の一対の連結片１４，１５の先端部に形成された係合突部２１，２６が外方に向かって突出される。
【００３３】
したがって、他方の枠体３の一端部には一対の連結片１４，１５の先端部を突出した状態で連結具４が簡単に嵌着保持される。また、他方の枠体３の他端部には前記の場合と同様に一対の連結片１４，１５の先端部を突出した状態で連結具４が簡単に嵌着保持される。
【００３４】
つぎに、一方の枠体２の第１の連結部６及び第２の連結部７の中で、たとえば、一方の枠体２の第１の連結部６に他方の枠体３の一端部を連結する場合には、この第１の連結部６の挿入溝１０内に他方の枠体３の一端部に嵌着された連結具４の一対の連結片１４，１５の先端部を挿入すると、この挿入溝１０の両縁部に一対の連結片１４，１５の係合突部２１，２６の前側傾斜部が当接される。
【００３５】
そして、第１の連結部６の挿入溝１０内に連結具４の一対の連結片１４，１５を強く押し込むと、この挿入溝１０の両縁部にてコイルスプリング３２に抗して一対の連結片１４，１５の先端部が互いに近接方向に絞り込まれ、この一対の連結片１４，１５の先端部の係合突部２１，２６が挿入溝１０の両縁部を通過して収容凹部８内に突出するとともに、コイルスプリング３２の復元力により一対の連結片１４，１５の先端部が互いに離間する方向に復帰される。
【００３６】
したがって、第１の連結部６の挿入溝１０内に連結具４の一対の連結片１４，１５の先端部を押し込むことにより、第１の連結部６の挿入溝１０内には連結具４の一対の連結片１４，１５の先端部が簡単に挿入される。
【００３７】
つぎに、他方の枠体３の案内孔１３から他方の枠体３の側面部に露出したカム機構２８の操作部４６を回動操作すると、この操作部４６にて他方のカム体３１が回動され、この他方のカム体３１のカム４９の両側部の係合凸部５０が一方のカム体３０のカム３９の係合凹部４０から傾斜案内面４２を経て係合面４１ａ  に乗り上げて係合されるとともに、この他方のカム体３１の両側部の支持突部４７が他方の連結片１５の幅方向の位置から長さ方向の位置に回動変位される。
【００３８】
そして、他方のカム体３１の両側部の支持突部４７にて他方の連結片１５が一方の連結片１４から離間する方向に移動され、この他方の連結片１５の基端部の支軸２３が一方の連結片１４の基端部の案内孔１８の外端部に係合されるとともに、この一対の連結片１４，１５の先端部が拡開される。
【００３９】
また、この一対の連結片１４，１５の先端部が拡開されると、その係合突部２１，２６の後側傾斜部が第１の連結部６の相対する係合片部９の内側縁部にそれぞれ係合されるとともに、その当接部２１ａ  ，２６ａ  が相対する係合片部９の内縁部にそれぞれ圧接される。
【００４０】
したがって、第１の連結部６の挿入溝１０内に一対の連結片１４，１５の先端部を挿入した状態で他方のカム体３１を回動操作することにより、第１の連結部６の相対する係合片部９に一対の連結片１４，１５の先端部が係合状態に簡単に保持される。そうして、連結具４にて一方の枠体２に他方の枠体３の一端部が簡単に連結される。また、他方の枠体３の他端部に他の一方の枠体２を連結する場合も前記の場合と同様である。
【００４１】
つぎに、一方の枠体２の第２の連結部７に他方の枠体３の一端部を連結する場合には、前記一方の枠体２の第１の連結部６に他方の枠体３の一端部を連結する場合と同様に連結操作することにより、一方の枠体２の第２の連結部７に他方の枠体３の一端部が簡単に連結される。
【００４２】
つぎに、上下方向の複数の枠体２と左右方向の複数の枠体３を用いて台所等に設置する家具を組立てる場合には、左右に配設する左側一方の枠体２の第１の連結部６の上端部及び下端部に上下に配設する左右方向の他方の枠体３の一端部を前記実施の形態の場合と同様に連結具４にてそれぞれ連結し、右側一方の枠体２の第１の連結部６の上端部及び下端部に前記上下の他方の枠体３の他端部を前記実施の形態の場合と同様に連結具４にてそれぞれ連結して矩形状枠体５４を構成する。
【００４３】
また、前記矩形状枠体５４を所定の間隔をおいて前後に配設し、この前後の矩形状枠体５４の左右部に位置する前後の枠体２の相対する第２の連結部７の上端部及び下端部に上下に配設する他方の枠体３の両端部を前記実施の形態の場合と同様に連結具４にてそれぞれ連結して家具本体５５を構成する。
【００４４】
また、前記家具本体５５の左右部に位置する前後の枠体２の内側部には上下方向に所定の間隔をおいて左右一対の複数の支持具５６をそれぞれ相対して連結し、この上下に位置する左右一対の前後の支持具５６に前後方向のガイドレール５７をそれぞれ左右相対して水平状に支持させる。そして、上下に位置する左右一対のガイドレール５７には台所用品収納用のバスケット５８の左右の縁部をそれぞれ前後方向に出し入れ自在に係合して家具５９を構成する。
【００４５】
したがって、上下方向の複数の枠体２と、この各枠体２に連結する左右方向の複数の枠体３を連結具４にてそれぞれ連結することにより、各枠体２，３が簡単に組み立てられて家具５９が構成される。そして、上下の各バスケット５８を出し入れすることにより、各バスケット５８内に台所用品を簡単に収納及び出し入れすることができる。
【００４６】
【発明の効果】
請求項１の発明によれば、連結具は、相対して平行状に配設され基端部を移動可能に軸支するとともに先端部に一方の枠体に形成した連結部の挿入溝から相対する係合片部に係合する係合突部をそれぞれ形成した一対の連結片と、この一対の連結片の間に設けられ前記連結部の相対する係合片部に係合させる際に一対の連結片の係合突部を互いに近接方向に移動可能に支持し、かつ、前記連結部の相対する係合片部に一対の連結片の係合突部を係合した際に一対の連結片の係合突部を互いに離間した係合状態に保持するカム機構とからなるので、この連結具にて一方の枠体に他方の枠体を簡単に連結することができ、一方の枠体に他方の枠体を連結するための連結部を成型加工する必要がなく、一方の枠体に他方の枠体を仮り止めして枠体の連結位置を簡単に調節設定することができ、これらの枠体を連結して家具本体を簡単に組立てることができ、したがって、全体的に作業性にすぐれた枠体連結装置を提供することができる。
【００４７】
請求項２の発明によれば、カム機構は、一方の連結片に進退可能に設けられ他方の連結片側に位置してカムを形成した一方のカム体と、他方の連結片に回動自在に設けられ前記一方の連結片側に位置して前記一方のカム体のカムに係合するカムを形成しかつ回動により進退する他方のカム体と、この他方のカム体に突設され前記他方の連結片を支持する支持突部及びこの他方のカム体を回動操作する操作部とを具備したので、この操作部にて他方のカム体を回動操作することにより、一対の連結片の係合突部を互いに近接方向に移動可能状態及び一対の連結片の係合突部を互いに離間した係合保持状態に簡単に切り換え設定することができ、このため、一方の枠体の連結部の挿入溝に一対の連結片の係合突部を容易に挿入することができるとともに、この一対の連結片の係合突部を一方の枠体の連結部の相対する係合片部に簡単かつ確実に係合することができ、したがって、一方の枠体に他方の枠体を連結する連結操作が容易である。
【００４８】
請求項３の発明によれば、一方のカム体は一方の連結片に突設されたカム支軸に軸方向にのみ進退可能に軸着され、このカム支軸に設けたスプリングにて他方のカム体に向かって常時附勢され、他方のカム体を回動操作する操作部は他方の枠体の端部に回動自在に突設されているので、この操作部にて他方の枠体の端部に嵌着した連結具を確実に抜け止め支持することができ、この他方の枠体の端部において操作部を回動操作することにより、一方の枠体の連結部の相対する係合片部に一対の連結片の係合突部を簡単に係合することができ、スプリングにて一方のカム体のカムを他方のカム体のカムに常時係合させて他方のカム体による一対の連結片の切り換え操作を確実に行なうことができる。
【図面の簡単な説明】
【図１】本発明の実施の形態を示す枠体連結装置の斜視図である。
【図２】同上連結具の側面図である。
【図３】同上連結具の平面図である。
【図４】同上カム機構の分解斜視図である。
【図５】同上枠体相互を連結する状態を示す説明図である。
【図６】同上枠体相互を連結した状態を示す斜視図である。
【図７】同上バスケットを支持した家具の正面図である。
【図８】同上横断平面図である。
【符号の説明】
２    一方の枠体
３    他方の枠体
４    連結具
６    第１の連結部
７    第２の連結部
９    係合片部
１０    挿入溝
１４    連結片
１５    連結片
２１    係合突部
２６    係合突部
２８    カム機構
２９    カム支軸
３０    一方のカム体
３１    他方のカム体
３２    スプリング
３９    カム
４６    操作部
４７    支持突部
４９    カム
【図１】
0003600319.tif 000002
【図２】
0003600319.tif 000003
【図３】
0003600319.tif 000004
【図４】
0003600319.tif 000005
【図５】
0003600319.tif 000006
【図６】
0003600319.tif 000007
【図７】
0003600319.tif 000008
【図８】
0003600319.tif 000009